(57)【要約】【課題】長時間使用しても発光する白色光の色温度の変化を抑えることにより、寿命を延長することができる有機エレクトロルミネッセンス素子、照明装置を提供する。【解決手段】有機エレクトロルミネッセンス素子１００は、透光性を有する基板１０１と、基板１０１の上に形成された第一の電極１０２と、第一の発光ユニット１２０及び第二の発光ユニット１３０を有する第一画素領域１５０と第一の発光ユニット１２０を有する第二画素領域１６０とを隣接配置した有機層と、第一画素領域１５０の上に形成された第二の電極１０３と、第二画素領域１６０の上に形成された第二の電極１０４と、を備える。第一画素領域において最も短寿命な第一の発光ユニット１２０は、第一画素領域１５０と第二画素領域１６０において一体で形成されている。【選択図】図１
2015201588.tif 000002
【特許請求の範囲】
【請求項１】
基板と、
前記基板上に形成された第一の電極と、
１以上の有機発光層を有する発光ユニットを２以上有する第一画素領域と、前記第一画素領域より少ない個数の前記発光ユニットを有する第二画素領域とを隣接配置した有機層と、
前記第一画素領域及び前記第二画素領域の上に形成された第二の電極と、を備え、
前記第一画素領域において最も短寿命な前記有機発光層を有する前記発光ユニットは、前記第一画素領域と前記第二画素領域において一体で形成されている、
有機エレクトロルミネッセンス素子。
【請求項２】
前記第二画素領域の上に、前記第一画素領域に印加される電圧と、前記第二画素領域に印加される電圧とを同等にするための電圧制御層を更に備え、
前記第一画素領域と前記第二画素領域は、前記第一の電極及び前記第二の電極を共有する、
請求項１に記載の有機エレクトロルミネッセンス素子。
【請求項３】
前記第一画素領域の発光ユニット間に電荷発生層を含み、
前記第二画素領域は、２以上の発光ユニットを有する場合、前記発光ユニット間に
電荷発生層を含む
請求項１または２に記載の有機エレクトロルミネッセンス素子。
【請求項４】
前記発光ユニットの発光面積の比率は、
前記発光ユニットの寿命の比率に応じて設けられる、
請求項１乃至３に記載の有機エレクトロルミネッセンス素子。
【請求項５】
前記第一画素領域の前記発光ユニットは、少なくとも蛍光発光ユニットと燐光発光ユニットであり、
前記第二画素領域の前記発光ユニットは、少なくとも蛍光発光ユニットである、
請求項１乃至４のいずれか一項に記載の有機エレクトロルミネッセンス素子。
【請求項６】
前記第一画素領域の前記発光ユニットは、少なくとも蛍光発光ユニットと燐光発光ユニットであり、
前記第二画素領域の前記発光ユニットは、少なくとも燐光発光ユニットである、
請求項１乃至４のいずれか一項に記載の有機エレクトロルミネッセンス素子。
【請求項７】
前記第一画素領域と前記第二画素領域は、平面視において略ストライプ状に配置される、請求項１乃至６のいずれか一項に記載の有機エレクトロルミネッセンス素子。
【請求項８】
前記第二画素領域は、発光面積の大きさが異なる前記発光ユニットを複数有し、
前記発光面積の比率は、複数の前記発光ユニットの寿命の比率に応じて設けられる、
請求項１乃至７のいずれか一項に記載の有機エレクトロルミネッセンス素子。
【請求項９】
請求項１乃至８のいずれか一項に記載の有機エレクトロルミネッセンス素子を備える照明装置。
【発明の詳細な説明】
【技術分野】
【０００１】
本開示は、有機エレクトロルミネッセンス素子と、それを用いる照明装置に関する。
【背景技術】
【０００２】
従来、エレクトロルミネセンス材料を用いた照明装置において、発光素子への印加電圧を制御することにより、発光の調色または調光を実現する手法が知られている。（特許文献１）。
【先行技術文献】
【特許文献】
【０００３】
【特許文献１】特開２０１２−１２４４７８号公報
【発明の概要】
【発明が解決しようとする課題】
【０００４】
しかしながら、特許文献１に記載のものは、波長領域が異なる第一の発光ユニットと第二の発光ユニットとの合成により白色光を発光する照明装置であって、各発光ユニットはそれに含有される有機発光材料によって寿命差が生じる。その結果、第一の発光ユニットと第二の発光ユニットとは寿命差があるため、照明装置は長時間使用により発光する白色光の色温度が変化してしまうという問題がある。
【０００５】
そこで、本開示は、上記事由に鑑みて為されたものであって、長時間使用しても発光する白色光の色温度の変化を抑えることができる有機エレクトロルミネッセンス素子、照明装置を提供することを目的とする。
【課題を解決するための手段】
【０００６】
本開示の有機エレクトロルミネッセンス素子は、基板と基板上に形成された第一の電極と１以上の有機発光層を有する発光ユニットを２以上有する第一画素領域と第一画素領域より少ない個数の発光ユニットを有する第二画素領域とを隣接配置した有機層と第一画素領域及び第二画素領域の上に形成された第二の電極とを備え、第一画素領域において最も短寿命な有機発光層を有する発光ユニットは、第一画素領域と第二画素領域において一体で形成されていることを特徴とする。
【発明の効果】
【０００７】
本開示の有機エレクトロルミネッセンス素子及び照明装置において、最も短寿命な有機発光層を有する発光ユニットが、二つの画素領域に渡って一体で形成されることにより、寿命の短い発光ユニットと寿命の長い発光ユニットとの寿命差を小さくすることができ、長時間使用しても発光する白色光の色温度の変化を抑えることができる。
【図面の簡単な説明】
【０００８】
【図１】図１は、実施形態１における有機エレクトロルミネッセンス素子の断面図である。
【図２】図２は、実施形態１における有機エレクトロルミネッセンス素子の配置例を示す平面図である。
【図３】図３は、実施形態２における有機エレクトロルミネッセンス素子の断面図である。
【図４】図４は、実施形態３における有機エレクトロルミネッセンス素子の断面図である。
【図５】図５は、実施形態３における有機エレクトロルミネッセンス素子の他実施例の断面図である。
【図６】図６は、実施形態４における有機エレクトロルミネッセンス素子の断面図である。
【図７】図７は、実施形態５における照明装置の断面図である。
【発明を実施するための形態】
【０００９】
（実施形態１）
以下、実施形態１について図１、図２を用いて説明する。なお、図１の矢印は、本実施形態の有機エレクトロルミネッセンス素子１００（以下、有機ＥＬ素子と称す）の発光方向を示しており、説明の便利上、発光方向の逆方向を上方向として説明する。
【００１０】
図１は、本実施形態の有機ＥＬ素子１００の断面図である。図１に示すように、本実施形態の有機ＥＬ素子１００は、透光性を有する基板１０１と、基板１０１の上に形成された第一の電極１０２と、第一の発光ユニット１２０及び第二の発光ユニット１３０を有する第一画素領域１５０と第一の発光ユニット１２０を有する第二画素領域１６０とを隣接配置した有機層と、第一画素領域１５０の上に形成された第二の電極１０３と、第二画素領域１６０の上に形成された第二の電極１０４と、を備える。第一画素領域１５０において、第一の発光ユニット１２０は、第一画素領域１５０と第二画素領域１６０において一体で形成されている。
【００１１】
第一の発光ユニット１２０は、ホール輸送層１２１と、有機発光層１２２、１２３と、電子輸送層１２４と、を備え、ホール輸送層１２１の上に、有機発光層１２２、１２３、電子輸送層１２４が順に積層される。
【００１２】
第二の発光ユニット１３０は、ホール輸送層１３１と、有機発光層１３２、１３３と、電子輸送層１３４と、を備え、ホール輸送層１３１の上に、有機発光層１３２、１３３、電子輸送層１３４が順に積層される。
【００１３】
第一画素領域１５０では、第一の発光ユニット１２０と第二の発光ユニット１３０との間に、電荷発生層１０５が設けられる。つまり、図１に示すように、本実施形態の第一画素領域１５０では、第一の発光ユニット１２０、電荷発生層１０５、第二の発光ユニット１３０、第二の電極１０３が第一の電極１０２の上にこの順に積層される。そして、第一画素領域１５０は、第一の電極１０２と第二の電極１０３との間に挟まれて設けられている。
【００１４】
本実施形態では、第一画素領域１５０の第一の発光ユニット１２０を、発光方向に直交する方向に面積を広げることによって、第二画素領域１６０の第一の発光ユニット１２０を形成する。つまり、図１に示すように、第二画素領域１６０の第一の発光ユニット１２０と第一画素領域１５０の第一の発光ユニット１２０とが、隣接して一体で形成されている。また、第二の電極１０４は、第二画素領域１６０の電子輸送層１２４の上に、電荷発生層１０５と並設されている。つまり、本実施形態の第一画素領域１５０と第二画素領域１６０において、第一の発光ユニット１２０が一体で形成されている。この構成により、本実施形態の有機ＥＬ素子１００を製造する際、例えば第一画素領域１５０と第二画素領域１６０における発光ユニットをそれぞれ製造する場合に必要となる微細パターンマスクの枚数が減るので、製造工程の高効率化を図ることができる。
【００１５】
詳細は後述するが、第二画素領域１６０は、第一画素領域１５０において最も短寿命な発光ユニットを少なくとも有する。例えば、第一画素領域１５０が２個の発光ユニットを有する場合、第二画素領域１６０は、第一画素領域１５０の２個の発光ユニットのうち短
寿命な発光ユニットを有する。また、例えば、第一画素領域１５０が３個の発光ユニットを有する場合、第二画素領域１６０は、第一画素領域１５０の３個の発光ユニットのうち、最も短寿命な発光ユニットを少なくとも有する。
【００１６】
ここで、第一画素領域１５０と第二画素領域１６０との配置方法としては、例えば、図２に示すように、平面視においてストライプ状で周期的に配置する方法がある。なお、配置方法は、例えばグリッド状（図示しない）でもよい。また、図２では、４個の有機ＥＬ素子１００、１００ａ、１００ｂ、１００ｃが並べられているが、単なる一例にすぎず、その限りではない。
【００１７】
本実施形態の有機ＥＬ素子１００において、第一画素領域１５０と第二画素領域１６０との平面視における発光面積の比率は、第一の発光ユニット１２０と第二の発光ユニット１３０との寿命の比率に応じて設定することが好ましい。例えば、第二の発光ユニット１３０の寿命が第一の発光ユニット１２０の寿命の１．２倍の場合、第一の発光ユニット１２０の平面視における発光面積を１．２倍にすることが好ましい。これにより、第二の発光ユニット１３０と第一の発光ユニット１２０との寿命の差を短縮することができる。なお、発光ユニットの寿命はそれに含有される有機発光材料によって決まる。
【００１８】
以下、本実施形態における有機ＥＬ素子１００の各構成要素の詳細について説明する。
【００１９】
本実施形態の有機ＥＬ素子１００の発光方向は、図１の矢印の方向である。そのため、基板１０１には透光性を有する材料を用いることが好ましい。例えば、透明なガラス、プラスチックまたはセラミックスなどが挙げられるが、それに限定されない。
【００２０】
第一の電極１０２は、本実施形態では、陽極として機能する。第一の電極１０２には、一般的に透明電極として使われる材料を用いることが好ましいが、透光性を有すればよく、特に限定しない。また、第二の電極１０３、１０４は、本実施形態では、陰極として機能する。第二の電極１０３、１０４には、一般的に電極として使われる材料を用いるが、特に限定されない。なお、第一の電極１０２を陰極にし、第二の電極１０３、１０４を陽極にしてもよい。
【００２１】
本実施形態の有機ＥＬ素子１００の発光色は白色である。そのため、有機発光層１２２、１２３、１３２、１３３は、赤色、緑色、青色の有機発光材料から形成され、それらの組み合わせで白色を発光する。また、本実施形態の有機ＥＬ素子１００は、発光材料として、燐光発光材料と蛍光発光材料とを用いることを想定する。ここで、各有機発光層の発光材料の組み合わせを表１に示す。なお、表１に示すものは単なる一例にすぎなく、白色光を発光することができる組み合わせであればよい。
【００２２】
【表１】
2015201588.tif 000003
表１に示すように、本実施形態の有機ＥＬ素子１００において、第一画素領域１５０は、少なくとも蛍光発光材料から形成される発光ユニットと燐光発光材料から形成される発光ユニットを有する。第二画素領域１６０は、少なくとも蛍光発光材料から形成される発光ユニット、または燐光発光材料から形成される発光ユニットを有する。
【００２３】
ここで、表１の中の一番左の組み合わせを例として説明する。本実施形態の有機ＥＬ素子１００の第一の発光ユニット１２０において、有機発光層１２２が青色蛍光発光材料から形成され、有機発光層１２３が緑色蛍光発光材料から形成される。また、第二の発光ユニット１３０において、有機発光層１３２が赤色燐光発光材料から形成され、有機発光層１３３が緑色燐光発光材料から形成される。ここで、青色蛍光発光材料の寿命は、最も短いとする。つまり、第一の発光ユニット１２０は、最も短寿命な有機発光層を有する。
【００２４】
なお、本実施形態の有機ＥＬ素子１００の発光方向は、図１の矢印の方向の逆方向にしてもよい。この場合、基板１０１は、透光性、光反射性または吸光性のいずれかを有してもよい。また、この場合、第二の電極１０３、１０４のそれぞれは、一般的に透明電極として使われる材料を用いることが好ましいが、透光性を有すればよく、特に限定されない。
【００２５】
次に、本実施形態の有機ＥＬ素子１００における第一画素領域１５０、第二画素領域１６０について説明する。
【００２６】
図１に示すように、第一画素領域１５０は、第一の電極１０２と第二の電極１０３とを介して有機ＥＬ素子１００の外部より電気的接続を行うことにより、電圧が印加される。また、電荷発生層１０５は、光透過性及び上下の第一の発光ユニット１２０と第二の発光ユニット１３０とへの電荷注入特性を有するものである。それにより、電荷（電子及び正孔）を上下の第一の発光ユニット１２０と第二の発光ユニット１３０とに注入することで素子を駆動可能にするとともに、光を透過させて外部に光を発することが可能になる。つまり、ホール輸送層１２１を介して移動したホールと、電荷発生層１０５により発生し電子輸送層１２４を介して移動した電子が、第一の発光ユニット１２０の有機発光層１２２、１２３において再結合することにより発光する。そして、電子輸送層１３４を介して移動した電子と、電荷発生層１０５により発生しホール輸送層１３１を介して移動したホールが、第二の発光ユニット１３０の有機発光層１３２、１３３において再結合することにより発光する。このときの電圧が約６Ｖである。なお、電荷発生層１０５は、光透過性と電荷注入特性とを有する材料であればよく、特に限定しない。電子輸送層１２４、１３４
は、電子移動度が高い材料であることが好ましいが、電子輸送性を有する材料であればよい。ホール輸送層１２１、１３１は、ホール移動度が高い材料であることが好ましいが、ホール輸送性を有する材料であればよい。ホール輸送層１２１、１３１と電子輸送層１２４、１３４とを設けることにより、正孔及び電子の移動がスムーズになり、発光効率を高めることができる。
【００２７】
第二画素領域１６０は、第一の電極１０２と第二の電極１０４とを介して有機ＥＬ素子１００の外部より電気的接続を行うことにより、電圧が印加される。これにより、ホール輸送層１２１を介して移動したホールと、電子輸送層１２４を介して移動した電子が、第二画素領域１６０の第一の発光ユニット１２０の有機発光層１２２、１２３において再結合することにより発光する。このときの電圧が約３Ｖである。ここで、第二画素領域１６０は、第一画素領域１５０より発光ユニットの個数が少ないため、第二画素領域１６０の両端に印加する電圧を、第一画素領域１５０の両端に印加する電圧より小さくする必要がある。そこで、本実施形態の有機ＥＬ素子１００では、第二の電極１０３と第二の電極１０４の電圧を個別に制御する。例えば、外部電源を二個設け、第一の電極１０２及び第二の電極１０３と、第一の電極１０２及び第二の電極１０４とを、それぞれの外部電源と接続させる。これにより、第一画素領域１５０と第二画素領域１６０とのそれぞれに適切な電圧を印加することができる。
【００２８】
本実施形態では、第一の発光ユニット１２０が、第一画素領域１５０と第二画素領域１６０との両方に設けられることに対して、第二の発光ユニット１３０が、第一画素領域１５０にのみ設けられる。そのため、第一の発光ユニット１２０の発光面積は、第二の発光ユニット１３０の発光面積より大きくなる。有機発光層の発光面積が大きくなると、必要な輝度を出す時、単位発光面積当たりの発光輝度は小さくなる。これにより、有機発光層にかかる負荷が抑えられ、有機発光層の寿命が長くなる。そこで、本実施形態の有機ＥＬ素子１００では、寿命が最も短い有機発光層１２２、１２３を有する第一の発光ユニット１２０の発光面積を第二の発光ユニット１３０との寿命差に応じた大きさにすることにより、第一の発光ユニット１２０と第二の発光ユニット１３０との寿命差を小さくすることができ、長時間使用されても発光する白色光の色温度の変化を抑えることができる。
（実施形態２）
以下、本開示の実施形態２について図３を用いて説明する。実施形態２は、主に実施形態１と各画素領域に配置される発光ユニットの個数という点で異なる。
【００２９】
図３は、本実施形態の有機ＥＬ素子２００の断面図である。有機ＥＬ素子２００は、図３に示すように、第一の発光ユニット１２０と第一の電極１０２との間に、第一の発光ユニット１２０より更に発光面積が大きい第三の発光ユニット２２０が、第一画素領域２５０と第二画素領域２６０とに渡って配置されている。つまり、有機ＥＬ素子２００は、第一の発光ユニット１２０と第二の発光ユニット１３０と第三の発光ユニット２２０とを有する第一画素領域２５０と、第一の発光ユニット１２０と第三の発光ユニット２２０とを有する第二画素領域２６０とを備える。また、第三の発光ユニット２２０は、ホール輸送層２２１と、有機発光層２２２、２２３と、電子輸送層２２４と、を備え、ホール輸送層２２１の上に、有機発光層２２２、２２３、電子輸送層２２４が順に積層される。なお、実施形態１と同様の構成については、同符号を付して説明を省略する。
【００３０】
図３に示すように、本実施形態の有機ＥＬ素子２００において、第一画素領域２５０は、第三の発光ユニット２２０の上に、電荷発生層２０５、第一の発光ユニット１２０、電荷発生層１０５、第二の発光ユニット１３０がこの順で積層されて構成される。第二画素領域２６０は、第三の発光ユニット２２０の上に、電荷発生層２０５、第一の発光ユニット１２０がこの順で積層されて構成される。
【００３１】
図３に示すように、第一画素領域２５０の第三の発光ユニット２２０、電荷発生層２０５、第一の発光ユニット１２０を、発光方向に直交する方向に面積を広げることによって、第二画素領域２６０の第三の発光ユニット２２０、電荷発生層２０５、第一の発光ユニット１２０を形成する。つまり、本実施形態の第一画素領域２５０と第二画素領域２６０において、第一の発光ユニット１２０が一体で形成されている。
【００３２】
そして、第二画素領域２６０において、第三の発光ユニット２２０は、発光方向と直交する方向に第一の発光ユニット１２０よりも更に面積を広げて突出部分を形成している。第二の電極２０４は、第三の発光ユニット２２０の突出部分の上に、電荷発生層２０５と並設される。第三の発光ユニット２２０の突出部分は、第一の電極１０２と第二の電極２０４とを介して外部より電気的接続を行うことにより、電圧が印加されて発光する。
【００３３】
表２は、本実施形態の有機ＥＬ素子２００の各発光ユニットの構成を示す。ここで、表２の中の一番左の組み合わせを例として説明する。つまり、本実施形態の有機ＥＬ素子２００の第一の発光ユニット１２０において、有機発光層１２２が緑色燐光発光材料から形成され、有機発光層１２３が赤色燐光発光材料から形成される。また、第二の発光ユニット１３０において、有機発光層１３２、１３３が、青色蛍光発光材料から形成される。また、第三の発光ユニット２２０において、有機発光層２２２、２２３が、第二の発光ユニット１３０から発光される青色光より波長が長い青色光を発光する青色蛍光発光材料から形成される。
【００３４】
【表２】
2015201588.tif 000004
ここで、有機発光層２２２、２２３の青色蛍光発光材料は、各有機発光層の中で一番寿命が短いものである。また、有機発光層１３２、１３３の発光材料は、各有機発光層の中で一番寿命が長いものである。つまり、第三の発光ユニット２２０は最も短寿命な有機発光層を有し、第一の発光ユニット１２０はその次に短寿命な有機発光層を有し、第二の発光ユニット１３０は最も長寿命な有機発光層を有する
そこで、本実施形態の有機ＥＬ素子２００において、寿命が最も短い第三の発光ユニット２２０の発光面積を一番大きくし、寿命がその次に短い第一の発光ユニット１２０の発
光面積を第二の発光ユニット１３０の発光面積より大きく、第三の発光ユニット２２０の発光面積より小さくする。例えば、第二の発光ユニット１３０と第一の発光ユニット１２０と第三の発光ユニット２２０との寿命の比率は１．４：１．２：１の場合、第三の発光ユニット２２０と第一の発光ユニット１２０と第二の発光ユニット１３０との平面視における発光面積の比率を１．４：１．２：１にする。これにより、第一の発光ユニット１２０と第二の発光ユニット１３０と第三の発光ユニット２２０との寿命差が短縮され、有機ＥＬ素子２００は、長時間使用されても発光する白色光の色温度の変化を抑えることができる。
【００３５】
なお、表２に示す構成が単なる一例にすぎなく、白色光を発光することができる組み合わせであればよい。本実施形態では、発光ユニットが複数の有機発光層を含む例を挙げて説明しているが、発光ユニットが一つの有機発光層を含むものであってもよい。また、本実施形態では、電荷発生層１０５と電荷発生層２０５とは同じ材料を用いることを想定しているが、別材料であってもよい。
（実施形態３）
以下、本開示の実施形態３について図４を用いて説明する。実施形態３は、実施形態１と電圧制御層３２０を有する点で異なる。
【００３６】
図４は、本実施形態の有機ＥＬ素子３００の断面図である。なお、実施形態１と同様の構成については、同符号を付して説明を省略する。
【００３７】
図４に示すように、本実施形態の有機ＥＬ素子３００において、第一画素領域１５０と、第二画素領域１６０とは、第一の電極１０２と、第二の電極３０３を共有している。つまり、本実施形態の第二の電極３０３は、実施形態１における第二の電極１０４が、第二の電極１０３と隣接して一体で形成される形態と同様である。
【００３８】
電圧制御層３２０は、第二画素領域１６０と第二の電極３０３との間に設けられる。つまり、第二画素領域１６０とその上に設けられる電圧制御層３２０とは、第一の電極１０２と第二の電極３０３との間に挟まれて、第一画素領域１５０と隣接して設けられる。なお、本実施形態の電圧制御層３２０は、一般的に使用される電子輸送性を有する材料である。
【００３９】
本実施形態の有機ＥＬ素子３００は、第一の電極１０２と第二の電極３０３とを介して外部より電気的接続を行うことにより、第一画素領域１５０に適切な電圧が印加されて発光する。また、電圧制御層３２０は、第一の電極１０２と第二の電極３０３との間の電圧を一部分担し、第二画素領域１６０に印加される電圧をに制御することで、第二画素領域１６０が発光することができる。例えば、第一画素領域１５０が必要な電圧は６Ｖであり、第二画素領域１６０が必要な電圧は３Ｖである。この場合、第一の電極１０２と第二の電極３０３に６Ｖの電圧を印加することで、第一画素領域１５０が発光する。また、電圧制御層３２０は、印加される電圧の６Ｖのうち３Ｖを負担することにより、第二画素領域１６０が３Ｖの電圧が印加され、発光する。
【００４０】
つまり、電圧制御層３２０を設けることにより、本実施形態の有機ＥＬ素子３００は、長時間使用されても発光する白色光の色温度の変化を抑えることができるとともに、第一画素領域１５０に印加される電圧と第二画素領域１６０に印加される電圧とをそれぞれ個別に制御しなくてよいという効果がある。
【００４１】
なお、本実施形態において、電圧制御層３２０の膜厚が第二の発光ユニット１３０と同じ膜厚になっているが、その限りではなく、例えば図５に示すように、電圧制御層３２０の膜厚を第二の発光ユニット１３０の膜厚より大きくしてもよい。この場合、第二の電極
３０３を、電圧制御層３２０と第二の発光ユニット１３０との形状に応じて適宜設計すればよい。
（実施形態４）
以下、本開示の実施形態４について図６を用いて説明する。実施形態４は、実施形態３と電圧制御層３２０が配置される位置が異なる。
【００４２】
図６は、本実施形態の有機ＥＬ素子４００の断面図である。なお、実施形態３と同様の構成については、同符号を付して説明を省略する。
【００４３】
図６に示すように、実施形態３と違って、本実施形態の有機ＥＬ素子４００において、第一画素領域１５０の第二の発光ユニット１３０は、発光方向と直交する方向に面積を広げることによって第二画素領域４６０を形成する。つまり、図６に示すように、第二画素領域４６０の第二の発光ユニット１３０は、第一画素領域１５０の第二の発光ユニット１３０と隣接して一体で形成されている。この場合、電圧制御層４２０は、第二画素領域４６０と第一の電極１０２との間に設けられる。これにより、第二画素領域４６０は、電圧制御層４２０を介して発光する。なお、本実施形態の電圧制御層４２０は、一般的に使用されるホール輸送性を有する材料である。
【００４４】
本実施形態の有機ＥＬ素子４００において、第二の発光ユニット１３０は最も短寿命な有機発光層を有する。例えば、第一の発光ユニット１２０において、有機発光層１２２が緑色燐光発光材料から形成され、有機発光層１２３が赤色燐光発光材料から形成される。また、第二の発光ユニット１３０において、有機発光層１３２が緑色蛍光発光材料から形成され、有機発光層１３３が青色蛍光発光材料から形成される。ここで、青色蛍光発光材料は、この中で一番寿命が短い発光材料とする。つまり、有機発光層１３３を有する第二の発光ユニット１３０は、第一の発光ユニット１２０より寿命が短いものである。第二の発光ユニット１３０の発光面積を大きくすることにより、第一の発光ユニット１２０と第二の発光ユニット１３０との寿命差を小さくすることができ、長時間使用されても発光する白色光の色温度の変化を抑えることができる。
【００４５】
つまり、電圧制御層４２０を設けることにより、本実施形態の有機ＥＬ素子４００は、長時間使用されても発光する白色光の色温度の変化を抑えることができるとともに、第一画素領域１５０に印加される電圧と第二画素領域４６０に印加される電圧とをそれぞれ個別に制御しなくてよい。
（実施形態５）
以下、本開示の照明装置について、実施形態５として図７を用いて説明する。
【００４６】
図７は、本実施形態の照明装置２の断面図である。図７に示すように、本実施形態の照明装置２は、筐体３と蓋体４とを有する。また、筐体３と蓋体４によって封止された空間に、有機ＥＬ素子１００、１００ａ、１００ｂ、１００ｃが配置されている。なお、本実施形態の照明装置２は、実施形態１〜４のいずれの有機ＥＬ素子を用いてもよい。また、有機ＥＬ素子１００、１００ａ、１００ｂ、１００ｃの発光は、蓋体４を通過して図７の矢印に示す方向に放射される。そのため、蓋体４は透光性を有する。
【００４７】
なお、有機ＥＬ素子１００、１００ａ、１００ｂ、１００ｃの平面視における光の放出面の形状は、四角形のような多角形を想定するが、その限りではなく、例えば円形であってもよい。この場合、平面視における蓋体４の光の放出面の形状を、有機ＥＬ素子１００、１００ａ、１００ｂ、１００ｃの平面視における光の放出面の形状に対応させればよい。
【００４８】
また、蓋体４は、有機ＥＬ素子１００、１００ａ、１００ｂ、１００ｃの支持部材とし
ても機能している。
【００４９】
また、蓋体４に用いる部材としては、プラスチック、ガラスを用いるが、透光性を有する材料であればよい。また、筐体３は、蓋体４と同じ種類の部材を用いることが好ましいが、透光性を有さなくてもよい。
【００５０】
筐体３と蓋体４とは、接着層（図示せず）によって接着されている。接着層としては、一般的に使用される接着剤を用いてよい。
【００５１】
本実施形態の照明装置２は、長時間使用されても発光する白色光の色温度の変化を抑えることができる有機ＥＬ素子１００、１００ａ、１００ｂ、１００ｃを用いることにより、長寿命化を図ることができる。
【００５２】
以上のように、本開示における技術の例示として、実施形態を説明した。そのために、添付図面および詳細な説明を提供した。
【００５３】
したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【００５４】
また、上述の実施形態は、本開示における技術を例示するためのものであるから、特許請求の範囲またはその均等の範囲において種々の変更、置き換え、付加、省略などを行うことができる。
【符号の説明】
【００５５】
１００、２００、３００、４００  有機エレクトロルミネッセンス素子（有機ＥＬ素子）１０１  基板
１０２  第一の電極
１０３、１０４、２０４、３０３  第二の電極
１０５、２０５  電荷発生層
１２０  第一の発光ユニット
１２１、１３１、２２１  ホール輸送層
１２２、１２３、１３２、１３３、２２２、２２３  有機発光層
１２４、１３４、２２４  電子輸送層
１３０  第二の発光ユニット
２２０  第三の発光ユニット
３２０、４２０  電圧制御層
１５０、２５０  第一画素領域
１６０、２６０、４６０  第二画素領域
２  照明装置
３  筐体
４  蓋体
【図１】
2015201588.tif 000005
【図２】
2015201588.tif 000006
【図３】
2015201588.tif 000007
【図４】
2015201588.tif 000008
【図５】
2015201588.tif 000009
【図６】
2015201588.tif 000010
【図７】
2015201588.tif 000011